(57)【要約】    【課題】  ストライエーションの発生を抑制すると同時に感電の危険が生じない放電ランプ点灯装置を提供する。    【解決手段】  放電ランプ点灯装置は、整流化直流電源ＤＣと；ここから出力される直流電圧を入力し、昇圧して平滑化された３００Ｖを超える直流電圧を出力する直流−直流間変換回路ＢＵＣと；ここから出力される直流電圧を高周波交流電圧に変換する直流−交流間変換回路ＤＡＣと；この出力端間に接続した放電ランプを含む負荷回路ＬＣと；放電ランプの調光手段ＤＭと；無負荷時に負荷回路の高圧側の出力端とアースとの間に１ｋΩの抵抗を接続したときに当該抵抗に流れる電流が１ｍＡ以下であり、かつ、負荷時に放電ランプの調光比が２５％のときに１Ｖ以上の直流電圧を放電ランプに印加するような抵抗値を有し、直流−直流間変換回路の出力端と放電ランプの高圧側との間に接続した抵抗器Ｒ１と；を具備している。【選択図】    図１
2005259454.tif 000002
【特許請求の範囲】
【請求項１】
入力端が交流電源に接続して交流電圧を整流する整流化直流電源と；
整流化直流電源から出力される直流電圧を入力し、これを昇圧して平滑化された直流電圧を出力する直流−直流間変換回路と；
直流変換回路から出力される平滑化された３００Ｖを超える直流電圧を高周波交流電圧に変換する直流−交流間変換回路と；
直流−交流間変換回路の高圧側の出力端間に接続した放電ランプを含む負荷回路と；
負荷回路の放電ランプを調光点灯させる調光手段と；
無負荷時に負荷回路の出力端とアースとの間に１ｋΩの抵抗を接続したときに当該抵抗に流れる電流が１ｍＡ以下であり、かつ、負荷時において放電ランプの調光比が２５％のときに１Ｖ以上の直流電圧を放電ランプに印加するような抵抗値を有し、直流−直流間変換回路の出力端と放電ランプの高圧側との間に接続した抵抗器と；
を具備していることを特徴とする放電ランプ点灯装置。
【請求項２】
入力端が交流電源に接続して交流電圧を整流する整流化直流電源と；
整流化直流電源から出力される直流電圧を入力して昇圧して平滑化された直流電圧を出力する直流−直流間変換回路と；
直流変換回路から出力される平滑化された３００Ｖを超える直流電圧を高周波交流電圧に変換する直流−交流間変換回路と；
直流−交流間変換回路の出力端間に接続した放電ランプを含む負荷回路と；
負荷回路の放電ランプを調光点灯させる調光手段と；
交流電源の公称交流電圧が１００V、２００V、２４２Vまたは２５６Vであり、下限値が、それぞれ公称交流電圧が１００Ｖのときに１２２ｋΩ以上、２００Ｖのときに２４５ｋΩ以上、２４２Ｖのときに２９６ｋΩ以上、２５６Ｖのときに３１４ｋΩ以上であり、かつ、上限値がいずれの公称交流電圧であっても８２０ｋΩ以下であり、かつ、負荷時において放電ランプの調光比が２５％のときに１Ｖ以上の直流電圧を放電ランプに印加する抵抗値を有し、直流−直流間変換回路の出力端と放電ランプの高圧側との間に接続した抵抗器と；
を具備していることを特徴とする放電ランプ点灯装置。
【発明の詳細な説明】
【技術分野】
【０００１】
本発明は、放電ランプを高周波点灯する放電ランプ点灯装置に関する。
【背景技術】
【０００２】
蛍光ランプを低温下で高周波点灯されると、管壁に移動縞模様が現れる現象、いわゆるストライエーションが発生する。このストライエーションを防止するために、蛍光ランプに流れるランプ電流の電流値を正負の極性で非対称にすることが行われている（例えば、特許文献１参照。）。上記のストライエーションは、放電ランプを調光度を大きくして点灯した場合にも、放電ランプの温度が低下するために発生しやすくなる。
【０００３】
一方、ランプ電流波形を非対称にすると、蛍光ランプの管端部の発光強度が極端に異なる現象、いわゆるカタホリシスが発生する。このカタホリシスを防止する対策として、交流成分に直流成分が重畳されたランプ電圧を出力する電子式安定器と、この電子式安定器に接続された放電灯とを備え、低温用照明器具の使用可能温度範囲において、前記ランプ電圧の前記直流成分ＶDC（Ｖ）と前記放電灯の最冷点温度Ｔｃ（℃）との関係が、０＜ＶDC≦２のときＴｃ≧５であり、２＜ＶDC≦４のときＴｃ≧２０であり、４＜ＶDCのときＴｃ≧３５であることと規定した低温用照明器具が知られている（特許文献２参照。）。
【０００４】
特許文献２によると、蛍光ランプのランプ電圧の直流成分ＶＤＣが低く、かつ、最冷点温度ＴＣ（℃）が低温であると、ストライエーション現象が発生する。すなわち、特許文献２は、カタホリシス現象の防止に主眼をおいているので、ストライエーション現象の防止に対する配慮がなされていないため、カタホリシス現象およびストライエーション現象の両現象を防止する対策としては、不十分である。
【０００５】
そこで、放電ランプの最冷点温度が５〜４０℃のときに放電ランプのランプ電圧の直流成分が０．５〜１．６Ｖとなるように構成することが提案され、これによりカタホリシスおよびストライエーションの両現象の発生が防止される（特許文献３参照。）。
【０００６】
一方、放電ランプを調光点灯する場合、調光比が例えば２５％といったほぼ限界値まで調光された状態になると、ランプ電流が低減するために、ストライエーションが発生しやすくなるが、このようなときに放電ランプに直流成分の電圧が印加されるようにすると、ストライエーションが抑制される。
【特許文献１】特公昭６４−    ３３１８号公報
【特許文献２】特開２００１−０２３７８１号公報
【特許文献３】特開２００３−２２９２９１号公報
【発明の開示】
【発明が解決しようとする課題】
【０００７】
特許文献２では、蛍光ランプに直流成分を印加するための回路構成は、開示されていないので不明である。特許文献３では、一石形インバータを用いて非対称波形の出力電圧を得ることにより、放電ランプに直流成分を印加するように構成している。
【０００８】
これに対して、ハーフブリッジ形インバータのように対称波形を出力する直流−交流間変換回路を用いて高周波交流電圧を発生させる場合には、抵抗器を介して直流電源と放電ランプとの間を接続すれば直流成分を印加することができる。
【０００９】
ところが、上記のように抵抗器を接続することによってストライエーションの問題は解決するものの、人がランプ交換などで蛍光ランプを装着している照明器具に接触した際に、上記抵抗器および照明器具を介して直流電源から人を通じてアースへ直流の漏れ電流が流れる。このために、人が感電する危険がある。特に直流電源の電圧が３００Ｖを超える場合には、感電の危険が相対的に高くなる。
【００１０】
電気用品安全法の技術基準によれば、放電ランプを点灯する安定器で定格２次電圧が３００Ｖを超えるものにおいては、原則として絶縁変圧器であることと規定されている。なお、これには若干の例外が認められている。本発明者の調査、検討によれば、現在上記例外に認められているわけではないが、出力端子とアースの間に１ｋΩの抵抗を接続したときに流れる電流が１ｍＡ以下であれば、実際上感電の危険が生じないことが分かった。そして、さらに進んで検討した結果、対称波形の高周波交流電圧を発生する直流−交流間変換装置を用いた高周波点灯であっても、特定の範囲内の抵抗値を有する抵抗器を回路中の所定の位置に接続することによって、ストライエーションの発生が抑制されると同時に感電の危険も生じないことを見出し、本発明をなすに至った。
【００１１】
本発明は、ストライエーションの発生を抑制すると同時に感電の危険が生じない放電ランプ点灯装置を提供することを目的とする。
【課題を解決するための手段】
【００１２】
請求項１の発明の放電ランプ点灯装置は、入力端が交流電源に接続して交流電圧を整流する整流化直流電源と；整流化直流電源から出力される直流電圧を入力し、これを昇圧して平滑化された３００Ｖを超える直流電圧を出力する直流−直流間変換回路と；直流変換回路から出力される直流電圧を高周波交流電圧に変換する直流−交流間変換回路と；直流−交流間変換回路の出力端間に接続した放電ランプを含む負荷回路と；負荷回路の放電ランプを調光点灯させる調光手段と；無負荷時に負荷回路の高圧側の出力端とアースとの間に１ｋΩの抵抗を接続したときに当該抵抗に流れる電流が１ｍＡ以下であり、かつ、負荷時において放電ランプの調光比が２５％のときに１Ｖ以上の直流電圧を放電ランプに印加するような抵抗値を有し、直流−直流間変換回路の出力端と放電ランプの高圧側との間に接続した抵抗器と；を具備していることを特徴としている。
【００１３】
本発明および以下の各発明において、特に指定しない限り用語の定義および技術的意味は次による。
【００１４】
＜整流化直流電源について＞    整流化直流電源は、その入力端が交流電源に接続して、交流電圧を整流して直流電圧に変換して出力する回路手段である。そして、直流電圧出力は、平滑化されていてもよいし、非平滑であってもよい。また、整流回路は既知の回路手段のいずれであってもよい。なお、本発明において、交流電源は、どのようなものであってもよい。例えば、１００Ｖ、２００Ｖ、２４２Ｖおよび２５６Ｖなどの商用交流電源を選択的に用いることができる。
【００１５】
＜直流−直流間変換回路について＞    直流−直流間変換回路は、直流電圧を異なる値の直流電圧に変換する回路手段であり、出力する直流電圧が実効値で３００Ｖを超えるとともに平滑化されていれば昇圧変換および降圧変換のいずれの方式であってもよい。しかし、一般的には上述したように交流電源電圧が実効値で３００Ｖ未満である場合が多いため、昇圧変換方式が用いられる。なお、出力する直流電圧を３００Ｖ超であると限定した理由は、このような範囲であると、感電の危険が相対的に高くなり、したがって本発明の意義が高まるからである。また、出力する直流電圧がを許容されるとしても、直流電圧の瞬時値がほぼ実効値を大きく超えることがないとともに、高調波の発生が低減して、効果的になるからである。
【００１６】
また、直流−直流間変換回路として好ましくは昇圧チョッパを用いることができる。この場合、直流電源電圧の瞬時値に応じて昇圧比を自動的に調整するように構成することにより、出力電圧を平滑化してほぼ一定にすることもできる。したがって、本発明においては、直流−直流間変換回路の入力電圧は、非平滑の直流電圧であってもよい。
【００１７】
＜直流−交流間変換回路について＞    直流−交流間変換回路は、直流−直流間変換回路から出力される３００Ｖを超える平滑化された直流電圧を高周波の交流電圧に変換する回路手段である。本発明においては、放電ランプに印加する電圧の直流成分は、後述する抵抗器により得られるので、直流−交流間変換回路から得られる高周波の交流電圧は、対称波形であってもよい。対称波形の高周波交流電圧を出力する直流−交流間変換回路であれば、ハーフブリッジ形インバータなど回路構成が簡単化された既知の回路手段の採用を可能にするので、したがって、放電ランプ点灯装置を安価で、小形、軽量化することができる。しかし、多少の範囲であれば、非対称波形の高周波の交流波形を出力するインバータを採用することも許容される。
【００１８】
さらに、本発明において用いることができるインバータについて説明すれば、次のとおりである。すなわち、インバータがいずれの回路方式であったとしても、内部に備えられる主スイッチング素子の励振の方式については、基本的に自励発振および他励発振のいずれであってもよい。インバータが自励発振方式の場合には、点灯主回路に流れる電流を前述のように帰還して主スイッチング素子をドライブすることができる。これに対して、他励発振方式の場合には、発振回路を備えていて、発振回路から出力される発振信号に応じてドライブ信号を形成して、主スイッチング素子をドライブすることができる。後述する高周波出力の制御も合わせてマイコンやＩＣ中の発振回路を利用して発振信号を発生させることができる。
【００１９】
また、インバータは、放電ランプの作動の段階に応じてその出力である高周波電圧を変化するように出力特性を設定することができる。例えば、インバータは、その出力特性として少なくとも予熱モードおよび始動モードを選択的に有している。なお、「予熱モード」とは、始動の前段階において熱陰極形電極を予熱して熱電子放射状態にする出力特性であり、予熱の最中に放電ランプが不所望に始動しないように始動電圧より低い電圧が放電ランプに印加されるように構成する。また、「始動モード」とは、放電ランプの始動時におけるインバータの出力特性であり、放電ランプの一対の電極間に高電圧を印加して放電ランプの始動を促進するような出力を生じる。放電ランプが始動して点灯した後は、始動モードの状態を維持してもよいし、別に点灯モードを設定してもよい。調光点灯を行う場合、始動モードの状態を維持することにより、制御回路が簡単になる。始動モードとは別に点灯モードを設定する場合は、例えば全光点灯状態において点灯する場合などに適し、始動モードより低い高周波電圧が出力されるように構成するのがよい。なお、「全光点灯」とは、放電ランプ点灯装置として予め設定した１００％の明るさで放電ランプが点灯することをいう。したがって、放電ランプに固有の定格時の明るさを一義的に意味するものではない。一般に全光点灯時には始動電圧より低い電圧が放電ランプに印加されるように構成する。「調光点灯」とは、１００％未満の明るさで点灯することをいう。
【００２０】
さらに、インバータの出力特性として、上記予熱モードおよび始動モードに加えて、所望により起動モードを付加することができる。「起動モード」とは、高周波インバータに対する電源投入時における出力特性であり、電源投入により生じる過渡現象によって放電ランプが不所望な作動、例えば放電ランプが瞬間的にちらつきが生じないように十分に低い電圧を出力するように構成するのが好ましい。なお、起動時の出力電圧は、段階的または連続的に変化するように設定することができる。
【００２１】
＜負荷回路について＞    負荷回路は、直流−交流間変換回路の出力端間に接続した放電ランプを含み、スイッチングによる矩形波を高周波の交流電圧を正弦波に波形整形するとともに、放電ランプを始動し、かつ、安定に点灯するための回路手段である。すなわち、波形整形回路、始動回路およびバラスト回路を含む。波形整形回路は、スイッチングによる矩形波の基本周波数に共振する共振回路によって構成することにより、矩形波を正弦波に波形整形することができる。始動回路は、放電ランプを所要に始動するために、既知の始動回路を採用することが許容される。例えば、フィラメント加熱トランス、コンデンサ予熱回路などを選択的に用いることができる。なお、コンデンサ予熱回路の場合、放電ランプの一方または両方のフィラメント電極を経由して放電ランプに並列するコンデンサを接続することによって構成することができるが、当該コンデンサを上記共振回路のコンデンサと兼用することができる。また、放電ランプを安定に点灯するための手段は、放電ランプと直列に接続するバラストすなわち限流手段であり、適当な値のインピーダンス、好ましくはインダクタにより作用するインダクタンスにより構成され、放電ランプに所望のランプ電流を流す。なお、バラストのインダクタンスを波形整形回路のインダクタンスと兼用することができる。
【００２２】
放電ランプは、どのようなものでもよいが、低圧放電ランプ、例えば蛍光ランプなどが好適である。また、低圧放電ランプで熱陰極形電極を備える場合、後述する高周波インバータの出力特性に予熱モードを設けて、その予熱モード時に熱陰極形電極を予熱するために、放電ランプと並列的に、すなわち一対の熱陰極形電極の一方の電源側端子と他方の同電極の電源側端子または電源側端子との間に共振コンデンサを接続することができる。この結果、この共振コンデンサは、放電ランプにおける一対の熱陰極形電極の少なくとも一方の非電源側端子を経由して点灯主回路に接続する。そうして、始動前の予熱モード時において、共振コンデンサを経由して熱陰極形電極に適度の予熱電流を流して当該電極を所要に予熱することができる。なお、冷陰極形電極を備えた放電ランプの場合には、共振コンデンサを放電ランプに並列接続しているだけで始動時に高い共振電圧を放電ランプに印加することができる。
【００２３】
また、放電ランプは、単一でもよいし、複数であってもよい。後者の場合、単一の負荷回路に複数の放電ランプを直列接続することができる。負荷回路の複数を並列接続して配設すれば、複数の放電ランプを並列接続することもできる。
【００２４】
＜調光手段について＞    本発明において、調光手段は、負荷回路の放電ランプを少なくとも調光比２５％まで調光点灯させることが可能な回路手段である。なお、「調光比」とは、全光点灯の明るさを１００％としたときの調光時における明るさの比率をいう。
【００２５】
また、調光手段は、既知の各種回路方式を任意所望により採用することができる。例えば、直流−交流間変換回路の動作周波数を変化させて調光する周波数変化方式、直流−交流間変換回路の動作周波数を交流電源の周波数より高くてかつ、高周波電圧の周波数より十分に低い周波数で間欠的にオン、オフするＰＷＭ変化方式、および直流−直流間変換回路の出力電圧を変化させる電圧変化方式などを単独で、または複数を組み合わせて採用することができる。さらに、調光は、調光比を連続的または段階的に変化させるように構成することができる。
【００２６】
＜抵抗器について＞    抵抗器は、直流−直流間変換回路の高圧側の出力端と放電ランプの高圧側との間に接続される。そして、（１）無負荷時に負荷回路の出力端とアースとの間に１ｋΩの抵抗を接続したときに当該抵抗に流れる電流が１ｍＡ以下であり、（２）負荷時において放電ランプの調光比が２５％のときに１Ｖ以上の直流電圧を放電ランプに印加するような抵抗値を有している。また、上記（１）、（２）の条件に加えて好適には、（３）上記抵抗器による消費電力が最小限になるような抵抗値を有していることである。
【００２７】
（１）の条件は、感電の危険を生じないためのものである。この条件は、無負荷時に負荷回路の高圧側の出力端に現れ得る対アース間電圧のピーク値を１ｋΩで除して得られる電流値が１ｍＡ以下になるために必要な抵抗値として求めることができる。したがって、（１）の条件は、交流電源電圧に比例する。
【００２８】
（２）の条件は、調光時に光出力のちらつき発生を抑制するためのものである。この条件は、調光比２５％で点灯しているときの放電ランプのインピーダンスおよびランプ電流の積に比例する。
【００２９】
（３）の条件は、待機時に抵抗器で消費される電力が最大でも１Ｗであり、好ましくは０．５Ｗ以下、より好ましくは０．１Ｗ以下になるような抵抗値とすることである。
【００３０】
＜本発明の作用について＞    本発明においては、以上説明した構成を具備していることにより、調光比の大きな調光のように低光束の点灯時であっても、放電ランプの電極間に１Ｖ以上の電圧降下を生じるので、放電が安定して、ストライエーションが発生しなくなる。このため、光出力のちらつきやアークの立ち消えが発生するのを効果的に抑制することができる。また、無負荷時にランプ交換などにおいて、負荷回路の高圧側の出力端に人が不用意に接触したとしても、感電の危険が生じなくなる。さらに加えて、抵抗器が上記（３）の条件をも満足することにより、放電ランプ点灯装置全体の待機電力を１Ｗ以下に低減することができ、省エネルギー志向の放電ランプ点灯装置を得ることができる。
【００３１】
請求項２の発明の放電ランプ点灯装置は、入力端が交流電源に接続して交流電圧を整流する整流化直流電源と；整流化直流電源から出力される直流電圧を入力して昇圧して平滑化された直流電圧を出力する直流−直流間変換回路と；直流変換回路から出力される平滑化された３００Ｖを超える直流電圧を高周波交流電圧に変換する直流−交流間変換回路と；直流−交流間変換回路の出力端間に接続した放電ランプを含む負荷回路と；負荷回路の放電ランプを調光点灯させる調光手段と；交流電源の公称交流電圧が１００V、２００V、２４２Vまたは２５６Vであり、下限値が、それぞれ公称交流電圧が１００Ｖのときに１２２ｋΩ以上、２００Ｖのときに２４５ｋΩ以上、２４２Ｖのときに２９６ｋΩ以上、２５６Ｖのときに３１４ｋΩ以上であり、かつ、上限値がいずれの公称交流電圧であっても８００ｋΩ以下の放電ランプの調光比が２５％のときに１Ｖ以上の直流電圧を放電ランプに印加する抵抗値を有し、直流−直流間変換回路の出力端と放電ランプの高圧側との間に接続した抵抗器と；を具備していることを特徴としている。
【００３２】
本発明は、直流−直流間変換回路の出力端と放電ランプの高圧側との間に接続した抵抗器の抵抗値の下限値を、放電ランプ点灯装置が接続される交流電源の公称交流電圧に応じて具体的数位置で規定している。上記下限値は、交流電源電圧に比例するので、使用する交流電源の公称交流電圧に応じて抵抗値が異なる。これに対して、抵抗器の上限値は、放電ランプの調光点灯時にインピーダンスおよびランプ電流の積に比例するので、使用する放電ランプにより異なる。
【００３３】
そうして、本発明においては、上記構成を具備していることにより、請求項１におけるのと同様な作用を奏する。
【００３４】
以上説明した請求項１または２の放電ランプ点灯装置は、これを照明装置に組み込んで用いることができる。なお、「照明装置」とは、放電ランプ点灯装置の放電ランプの発光を利用する装置の全てを包含する広い概念であり、例えば照明器具、標識灯、表示灯および広告灯などが該当する。そして、照明装置は、照明装置本体および放電ランプ点灯装置により構成される。なお、「照明装置本体」とは、照明装置から放電ランプ点灯装置を除いた残余の部分をいう。
【発明の効果】
【００３５】
請求項１および２の発明によれば、抵抗器を所定の回路位置に接続するという簡単な回路構成でストライエーションの発生を抑制すると同時に感電の危険が生じない放電ランプ点灯装置を提供することができる。
【発明を実施するための最良の形態】
【００３６】
以下、図面を参照して本発明を実施するための形態を説明する。
【００３７】
図１は、本発明の放電ランプ点灯装置を実施するための一形態を示す回路図である。本形態において、放電ランプ点灯装置は、その入力端が交流電源ＡＣに接続し、整流化直流電源ＤＣ、直流−直流間変換回路ＢＵＣ、直流−交流間変換回路ＤＡＣ、負荷回路ＬＣ、調光手段ＤＭおよび抵抗器Ｒ１を具備している。
【００３８】
交流電源ＡＣは、例えば商用交流電源からなる。
【００３９】
整流化直流電源ＤＣは、全波整流回路からなる。
【００４０】
直流−直流間変換回路ＢＵＣは、昇圧チョッパからなる。昇圧チョッパは、インダクタＬ１、スイッチング素子Ｑ１、チョッパ制御回路ＣＣＣ、ダイオードＤおよび平滑コンデンサＣ１からなる。インダクタＬ１の一端は、整流化直流電源ＤＣの直流出力端の正極に接続し、他端はスイッチング素子Ｑ１に接続している。スイッチング素子Ｑ１は、MOSFETからなり、インダクタＬ１と直列接続したうえで、整流化直流電源ＤＣの直流出力端間に接続している。チョッパ制御回路ＣＣＣは、スイッチング素子Ｑ１のゲートドライブ信号を発生して、スイッチング素子Ｑ１のゲート・ソース間に印加するもので、電源電圧の瞬時値に応じてゲートドライブ信号の発振周波数を自動的に制御することにより、力率改善作用を行う。ダイオードＤおよび平滑コンデンサＣ１は、直列接続したうえで、スイッチング素子Ｑ１のドレイン・ソース間に並列接続している。そうして、平滑コンデンＣ１の両端間に昇圧され、かつ、平滑化された直流電圧が直流−直流間変換回路ＢＵＣから出力される。
【００４１】
直流−交流間変換回路ＤＡＣは、ハーフブリッジ形インバータからなり、インバータ主回路ＩＮＶおよび制御回路ＩＣＣを具備している。インバータ主回路ＩＮＶは、一対のスイッチング素子Ｑ２、Ｑ３の直列回路からなる。一対のスイッチング素子Ｑ２、Ｑ３の直列回路は、直流−直流間変換回路ＢＵＣの平滑コンデンサＣ１に並列接続している。一対のスイッチング素子Ｑ２、Ｑ３は、いずれもN形MOSFETからなる。
【００４２】
制御回路ＩＣＣは、制御回路本体ＩＣＣ１およびランプ装着検出回路ＬＤを含み、直流−交流間変換回路ＤＡＣのゲートドライブ信号を発生するとともに、後述する調光手段ＤＭに応動してゲートドライブ信号の周波数を変化させる。制御回路本体ＩＣＣ１は、制御回路ＣＣからランプ装着検出回路を除いた残余の部分を示す。ＬＤランプ装着検出回路ＬＤは、後述する放電ランプＤＬの一対の電極Ｅ、Ｅの非電源側端子間に接続した電圧分割回路からなる。電圧分割回路は、直列接続した一対の抵抗器Ｒ２、Ｒ３および平滑コンデンサＣ５から構成され、抵抗器Ｒ３の両端間電圧が平滑コンデンサＣ５により平滑化されて制御回路本体ＩＣＣ１に出力される。
【００４３】
負荷回路ＬＣは、直流−交流間変換回路ＤＡＣの出力端間であるスイッチング素子Ｑ３の両端間に接続していて、一対の直流カットコンデンサＣ２、Ｃ３、インダクタＬ２、共振コンデンサＣ４および放電ランプＤＬを含んで構成されている。すなわち、直流カットコンデンサＣ２、インダクタＬ２、共振コンデンサＣ４および直流カットコンデンサＣ３が直列回路を形成している。そして、インダクタＬ２のインダクタンスと主として共振コンデンサＣ４が直列共振回路を形成する。また、直列共振回路の共振コンデンサＣ４に対して放電ランプＤＬが並列的に接続し、かつ、放電ランプＤＬの一対のフィラメント電極Ｅ、Ｅが共振コンデンサＣ４と直列に接続してフィラメント電極加熱回路を形成している。
【００４４】
調光手段ＤＭは、これを操作することにより、直流−交流間変換回路ＤＡＣの制御回路ＩＣＣを制御、例えばゲートドライブ信号の発振周波数を高くする。これにより、放電ランプＤＬに流れるランプ電流が低減して放電ランプＤＬが調光点灯する。
【００４５】
抵抗器Ｒ１は、直流−直流間変換回路ＢＵＣの高圧側の出力端と放電ランプＤＬの高圧側、例えば直流カットコンデンサＣ２およびインダクタＬ２の接続点との間に接続している。そして、無負荷時に負荷回路ＬＣの出力端、例えば放電ランプＤＬの高圧側における電極Ｅの電源側端子とアースとの間に１ｋΩの抵抗Ｒ４を接続したときに、抵抗Ｒ４流れる電流が１ｍＡ以下になるような抵抗値で、かつ、負荷時に調光手段ＤＭを操作して調光比２５％のときに、放電ランプＤＬの一対の電極Ｅ、Ｅ間に１Ｖ以上の直流電圧が現れるような抵抗値に設定されている。
【００４６】
そうして、整流化直流電源ＤＣの交流入力端を交流電源ＡＣに接続すると、直流−直流間変換回路ＢＵＣの出力端間には、昇圧され、かつ、平滑化された直流電圧が出力される。そして、直流−交流間変換回路ＤＡＣが上記直流電圧が印加されて作動し、その出力端間に高周波電圧が出力される。高周波電圧は、負荷回路ＬＣに印加され、フィラメント電極加熱回路により放電ランプＤＬの一対のフィラメント電極が加熱されてフィラメント電極が予熱され、次に放電ランプＤＬが始動される。その結果、放電ランプＤＬは高周波点灯する。
【実施例】
【００４７】
交流電源：２４２Ｖ商用交流電源
直流−直流間変換回路ＢＵＣの出力電圧：動作時４１０Ｖ、無負荷時３４２Ｖ
放電ランプＤＬ：ＦＨＦ３２形蛍光ランプ
抵抗器Ｒ１：抵抗値５００ｋΩ
電気特性：無負荷時に抵抗Ｒ４に流れる電流０．７４４ｍＡ、
調光比２５％のときに放電ランプＤＬに印加される直流電圧１．６Ｖ
図７は、本発明の放電ランプ点灯装置を組み込んだ照明装置の一形態としての下面開放形埋込器具を示す底面図である。図において、１１は照明器具本体、１２は反射板、１３、１３は蛍光ランプである。
【００４８】
照明器具本体１１は、金属板をプレス成形して細長の四角形状に形成され、下面が開放されている。そして、周縁に天井面に当接する起立縁１１ａが形成されている。
【００４９】
反射板１２は、金属板をプレス成形して断面山形の形状に形成され、表面が白色系の塗膜で被覆されている。そして、蛍光ランプ１３をその下面側部分を除いて、断面山形の形状部分で包囲した状態になるように照明器具本体１１の内部に収納されている。
【００５０】
蛍光ランプ１３、１３は、それぞれＦＨＦ３２形からなり、管径２５．５ｍｍ、管長１１９８ｍｍ、定格ランプ電力３２Ｗ／４５Ｗ、定格ランプ電流０．２５５Ａ／０．４２５Ａである。
【００５１】
照明器具本体１１の内部には、反射板１２の背面側に図示を省略している放電ランプ点灯装置などが配設されている。
【図面の簡単な説明】
【００５２】
【図１】本発明の放電ランプ点灯装置を実施するための一形態を示す回路図
【図２】発明の放電ランプ点灯装置を組み込んだ照明装置の一形態としての下面開放形埋込器具を示す底面図
【符号の説明】
【００５３】
ＡＣ…交流電源、ＤＣ…整流化直流電源、ＢＵＣ…直流−直流間変換回路、ＤＡＣ…直流−交流間変換回路、ＬＣ…負荷回路、ＤＭ…調光手段、Ｒ１…抵抗器
【図１】
2005259454.tif 000003
【図２】
2005259454.tif 000004